(57)【要約】      （修正有）【課題】梱包時にドアの所定部位を保護できると共にドア枠の躯体への取付施工時に治具としても使用可能なドア用梱包材を提供する。【解決手段】矩形形状のドアの外周部を保護する第１の梱包材と、該第１の梱包材と同時に梱包されてドアの所定部位を保護すると共に、第１の梱包材とは別体で開梱できてドア枠１の躯体への取付時に治具としても使用可能な第２の梱包材５と、を備える。第２の梱包材５は、第１の梱包材を開梱した際にドア枠１に所定強度で保持されていたり、ドア枠１で形成される矩形面に対応した大きさの平板状か、もしくは矩形面の対角線形状に対応した略Ｘ字状に形成される。【選択図】図２
2005193930.tif 000002
【特許請求の範囲】
【請求項１】
面材と該面材の外周に設けられたドア枠とを有する矩形形状のドアを梱包すると共に、施工現場で開梱されるドア用梱包材であって、
前記ドアの外周部を保護する第１の梱包材と、該第１の梱包材と同時に梱包されて前記ドアの所定部位を保護すると共に、第１の梱包材とは別体で開梱できてドア枠の躯体への取付時に治具としても使用可能な第２の梱包材と、を備えることを特徴とするドア用梱包材。
【請求項２】
前記第２の梱包材は、第１の梱包材を開梱した際にドア枠に所定強度で保持されていることを特徴とする請求項１に記載のドア用梱包材。
【請求項３】
前記第２の梱包材は、ドア枠で形成される矩形面の少なくとも一方に介装され、該矩形面に対応した大きさの平板状かもしくは矩形面の対角線形状に対応した略Ｘ字状に形成されていることを特徴とする請求項１または２に記載のドア用梱包材。
【請求項４】
前記第２の梱包材は、ドア枠の外周端面に介装され、該外周端面の長さに対応した長尺板状に形成されていることを特徴とする請求項１に記載のドア用梱包材。
【請求項５】
前記第２の梱包材は、第１の梱包材より硬い材質で形成されていることを特徴とする請求項１ないし４のいずれかに記載のドア用梱包材。
【発明の詳細な説明】
【技術分野】
【０００１】
本発明は、例えばシステムバスルーム等の浴室ドアの梱包に好適に使用され、特にドア取付施工時に治具としても使用可能なドア用梱包材に関する。
【背景技術】
【０００２】
一般的に、システムバスルーム等の浴室ユニットにおいては、浴室ドアが洗い場側の所定壁パネルに取り付けられて設置されるが、この浴室ドアは、例えば浴室ユニットの製造現場である製造工場から梱包材により梱包されて、取付施工現場（施工現場）である建築現場等に運搬・搬入される。従来、この浴室ドアの梱包は、例えば図５に示すようにして行われている。
【０００３】
すなわち、ガラス等を備えた浴室ドアの面材としてのドア本体２が嵌め込まれた矩形形状のドア枠１をビニールシート５２で覆い、このドア枠１の４つのコーナ部に正面視Ｌ字形状のコーナパット５１ｄをそれぞれ介装させた状態で、左右の縦枠１ａと上下枠１ｂ、１ｃに断面コ字状の左右梱包材５１ａ、上部梱包材５１ｂ及び下部梱包材５１ｃからなる梱包材５１をそれぞれ被せると共に、ドア枠１の上下方向の３箇所を締結バンド５３で締結することによって行っている。なお、サッシ用の梱包材としては、例えば特許文献１に開示のものが提案されている。
【特許文献１】特開２００２−４６７７９号公報
【発明の開示】
【発明が解決しようとする課題】
【０００４】
しかしながら、図５に示す梱包材５１においては、矩形形状のドア枠１に、各枠１ａ〜１ｃに対応して分割された左右梱包材５１ａ及び上部梱包材５１ｂ、下部梱包材５１ｃをコーナパット５１ｄを介装させて被せた状態で浴室ドアが梱包出荷され、この浴室ドアを施工現場で躯体に取り付ける際に、梱包材５１を開梱してドア枠１からドア本体２を取り外した状態で行うようにしている。
【０００５】
そのため、施工現場での梱包材５１の開梱後のドア枠１の持ち運び等により、例えば図６に示すように、ドア枠１が（ａ）つづみ形状や（ｂ）たいこ形状あるいは（ｃ）ひし形状に変形したり歪む場合がある。そして、この変形等により、図７に示すように、ドア枠１の左右の縦枠１ａと該縦枠１ａの下部に下枠アタッチメント５５により接合される下枠１ｃとの接合部のシーラー５４が傷付けられ、浴室ドアの施工後に水漏れが発生する等の悪影響をもたらす虞がある。
【０００６】
本発明は、このような事情に鑑みてなされたもので、その目的は、梱包時にドアの所定部位を保護できると共にドア枠の躯体への取付施工時に治具としても使用可能なドア用梱包材を提供することにある。
【課題を解決するための手段】
【０００７】
かかる目的を達成すべく、本発明のうち請求項１に記載の発明は、面材と該面材の外周に設けられたドア枠とを有する矩形形状のドアを梱包すると共に、施工現場で開梱されるドア用梱包材であって、前記ドアの外周部を保護する第１の梱包材と、該第１の梱包材と同時に梱包されて前記ドアの所定部位を保護すると共に、第１の梱包材とは別体で開梱できてドア枠の躯体への取付時に治具としても使用可能な第２の梱包材と、を備えることを特徴とする。
【０００８】
そして、前記第２の梱包材は、請求項２に記載の発明のように、第１の梱包材を開梱した際にドア枠に所定強度で保持されていることが好ましく、また、前記第２の梱包材は、請求項３に記載の発明のように、ドア枠で形成される矩形面の少なくとも一方に介装され、該矩形面に対応した大きさの平板状かもしくは矩形面の対角線形状に対応した略Ｘ字状に形成されていることが好ましい。
【０００９】
また、前記第２の梱包材は、請求項４に記載の発明のように、ドア枠の外周端面に介装され、該外周端面の長さに対応した長尺板状に形成されていることが好ましい。さらに、前記第２の梱包材は、請求項５に記載の発明のように、第１の梱包材より硬い材質で形成されていることが好ましい。
【発明の効果】
【００１０】
本発明の請求項１に記載の発明によれば、梱包材が、ドア枠等を保護する第１の梱包材と同時に梱包されて、面材等のドアの所定部位を保護すると共に施工現場でのドア枠の躯体への取付時に治具としても使用可能な第２の梱包材を備えるため、施工現場で第１の梱包材を開梱した後に、第２の梱包材を例えば取付調整用の治具として使用しつつドア枠の変形を調整した状態で躯体に精度良く取り付けることができて、ドア施工後の水漏れ等の発生を確実に防止することができる。
【００１１】
また、請求項２に記載の発明によれば、請求項１に記載の発明の効果に加え、施工現場で第１の梱包材を開梱した際に第２の梱包材がドア枠に所定強度で保持されているため、第２の梱包材でドアの所定部位を確実に保護できると共に、施工現場でドア枠を躯体に取り付けるまでの間、第２の梱包材を取付調整用の治具として効果的に使用しつつ、ドア枠の変形を防止した状態で躯体に精度良く取り付けることができる。
【００１２】
また、請求項３に記載の発明によれば、請求項１または２に記載の発明の効果に加え、第２の梱包材が、ドア枠の矩形面に対応した大きさの平板状かもしくは矩形面の対角線形状に対応した略Ｘ字状に形成されて、矩形面の少なくとも一方に介装されるため、第２の梱包材でドアの面材等をより一層確実に保護できると共に、平板状もしくはＸ字状の第２の梱包材により矩形形状のドア枠の取付調整作業が確実に行え、ドア枠の変形等を一層確実に調整した状態で躯体に精度良く取り付けることができる。
【００１３】
また、請求項４に記載の発明によれば、請求項１に記載の発明の効果に加え、第２の梱包材がドア枠の外周端面の長さに対応した長尺板状に形成されて、該外周端面に介装されるため、長尺板状の第２の梱包材を例えば寸法確認用の治具として使用しつつ、ドア枠を変形等のない状態で躯体に精度良く取り付けることができる。
【００１４】
さらに、請求項５に記載の発明によれば、請求項１ないし４に記載の発明の効果に加え、第２の梱包材が第１の梱包材より硬い材質で形成されているため、第２の梱包材を取付施工時の治具として好適に使用することができると共に、ドアの面材等の所定部位を一層確実に保護することができる。
【発明を実施するための最良の形態】
【００１５】
以下、本発明を実施するための最良の形態を図面に基づいて詳細に説明する。
図１〜図３は、本発明に係わるドア用梱包材を浴室ドアに適用した場合の一実施形態を示し、図１が浴室ドアの梱包状態を示す分解斜視図、図２が図１のＡ−Ａ線に沿った断面図、図３が第２の梱包材の変形例を示す図１と同様の分解斜視図である。なお、図５に示す部位と同一部位には同一符号を付して説明する。
【００１６】
図１及び図２において、浴室ドアは、アルミニウム等の軽金属で押出し成形され左右の縦枠１ａと上枠１ｂ及び下枠１ｃによって矩形形状に形成されたドア枠１と、ガラス等を備え、ドア枠１の各枠１ａ〜１ｃの内側に嵌め込まれた面材としてのドア本体２等を有している。
【００１７】
そして、浴室ドアのドア枠１の縦枠１ａや上枠１ｂ及び下枠１ｃの裏面側（例えば浴室内側）には、図２に示す突条３（上枠１ｂと下枠１ｃの突条は図示せず）が突出形成されると共に、この突条３によってドア枠１の裏面側に矩形面４が形成され、この矩形面４に第２の梱包材５が嵌め込まれて保持されている。第２の梱包材５は、樹脂や木材等の前記第１の梱包材５１の段ボールより硬い材質により、その外形形状がドア枠１の前記矩形面４と同一形状の平板状板体５ａで形成され、この平板状板体５ａの外周端部が、ドア枠１の各突条３間に図１の矢印イの如く嵌め込まれるようになっている。
【００１８】
なお、この第２の梱包材５としては、平板状板体５ａに限らず、例えば図３に示すように、Ｘ字形状に形成することもできる。この場合の第２の梱包材５は、所定幅の板状部材５ｂ、５ｃを長手方向の中心部で交差させて固定することによりＸ字形状に形成され、図３の二点鎖線で示すように、各板状部材５ｂ、５ｃの先端部が前記矩形面４のコーナ部にそれぞれ位置した状態で、ドア枠１の突条３間に矢印イの如く嵌め込まれるようになっている。
【００１９】
次に、これらの第２の梱包材５を使用した浴室ドアの梱包方法と第２の梱包材５の使用方法の一例について説明する。先ず、梱包しようとする浴室ドアのドア枠１の大きさに応じた平板状もしくはＸ字状に形成した第２の梱包材５と、図５に示す第１の梱包材５１としての左右梱包材５１ａ、上部梱包材５１ｂ、下部梱包材５１ｃ及び４個のコーナパット５１ｄ等を準備し、第２の梱包材５を図１の矢印イの如くドア枠１の矩形面４に取り付ける。この時、第２の梱包材５はその外形形状がドア枠１の矩形面４に応じて設定されていることから、その外周端縁がドア枠１の突条３の内面間に嵌め込まれて矩形面４に保持された状態となる。
【００２０】
なお、前記第２の梱包材５は、ドア枠１の各枠１ａ〜１ｃにそれぞれ形成された４辺の突条３の内面間に嵌め込まれることが好ましいが、例えば上枠１ｂや下枠１ｃに突条３が存在しない場合は、縦枠１ａの一対の突条３間にのみ嵌め込む等、適宜に対向する突条３間に嵌め込むようにすれば良い。
【００２１】
この第２の梱包材５の矩形面４への嵌め込み状態で、例えばドア枠１の周囲にビニールシート５２を被せ、コーナ部にコーナパット５１ｄを介装させた状態で、左右梱包材５１ａでドア枠１の縦枠１ａを覆うと共に、上部梱包材５１ｂ及び下部梱包材５１ｃでドア枠１の上枠１ｂ及び下枠１ｃを覆う。そして、この第１の梱包材５１でドア枠１を覆った状態で、上下方向の３箇所をＰＰバンド等の締結バンド５３で締結することにより、浴室ドアが第１の梱包材５１と第２の梱包材５とで同時梱包される。なお、梱包される浴室ドアには、ドア枠１の上枠１ｂに必要に応じて取付説明書６がテープ７によって貼付される。
【００２２】
このようにして第１の梱包材５１と第２の梱包材５で梱包された浴室ドアは、施工現場に運搬されるが、施工現場までの運搬時には第１の梱包材５１によってドア枠１の各枠１ａ〜１ｃが保護されると共に、ドア枠１の矩形面４に嵌め込まれている第２の梱包材５によって、浴室ドアのドア本体２が保護される。
【００２３】
そして、施工現場に搬入された梱包された浴室ドアは、次のようにして浴室ユニットの躯体（図示せず）に取り付けられる。すなわち、先ず、締結バンド５３を外して第１の梱包材５１を開梱して浴室ドア（ドア枠１）から取り除く。この第１の梱包材５１の開梱状態において、第２の梱包材５はドア枠１の矩形面４に保持状態とされており、この状態で、ドア枠１からドア本体２を取り外し、ドア枠１を施工現場で持ち運んで各枠１ａ〜１ｃを躯体に当接させてネジ９（図２参照）により取り付ける。
【００２４】
このドア枠１の躯体への取り付けの際に、ドア本体２が取り外され矩形面４が開口した枠状のドア枠１が、第２の梱包材５によってその形状が維持されていることから、持ち運びの際にドア枠１が変形したり歪むことがなくなり、所定の矩形形状を維持した状態で躯体に当接されて固定され、取付施工の際の前記シーラー５４等への傷付き等を確実に防止できることになる。
【００２５】
ドア枠１を躯体に取り付けたら、第２の梱包材５をドア枠１の矩形面４から取り外し、このドア枠１の開口２部分に、ドア枠１から取り外したドア本体２を再び嵌め込むことにより、浴室ユニットへの浴室ドアの設置が完了する。なお、開梱された第１の梱包材５１や第２の梱包材５は、製造現場に返却されて再使用されることが好ましく、この再使用の際、第２の梱包材５を２枚の板状部材５ｂ、５ｃによりＸ字状に形成した場合は、各板状部材５ｂ、５ｃの中心位置を回動・所定位置係止可能に構成することにより、返却時に略１枚の板状部材に折り畳んで効率的に返却できる。
【００２６】
つまり、この梱包構造によれば、ドア本体２が嵌め込まれている浴室ドアのドア枠１の矩形面４に、第１の梱包材５１より硬く各枠１ａ〜１ｃを所定形状に保持し得る第２の梱包材５を嵌め込んで第１の梱包材５１と同時に梱包することにより、第２の梱包材５にドア本体２の保護機能を持たせることができると共に、施工現場でドア本体２を取り外した状態のドア枠１を躯体に取り付ける際に、第２の梱包材５でドア枠１の変形を防止したり変形状態を確認しつつ取付作業を行うことができて、第２の梱包材５にドア枠１の取付調整用の治具としての機能を持たせることが可能となる。
【００２７】
このように、上記実施形態の浴室ドアの梱包構造にあっては、ドア枠１の各枠１ａ〜１ｃを保護する第１の梱包材５１と、矩形面４に嵌め込まれる第２の梱包材５とで同時に梱包されるため、第２の梱包材５によりドア枠１のドア本体２を保護することができると共に、施工現場で第１の梱包材５１を開梱しドア本体２をドア枠１から取り外した後に、第２の梱包材５を取付調整用の治具として使用しつつ、ドア枠１を躯体に取り付けることができる。
【００２８】
特に、ドア枠１が、第１の梱包材５１と第２の梱包材５によって同時梱包されることから、運搬時の衝撃等に対して第１の梱包材５１によってドア枠１等が保護されると共に、第２の梱包材５によって割れる等の損傷し易いガラス等を備えたドア本体２が保護され、かつ施工現場において、ドア枠１の躯体への取付施工時に第２の梱包材５でドア枠１の変形等を効果的に防止することができる。これらにより、ドア枠１の躯体への取付施工時に、ドア枠１が従来のようなつづみ形状やたいこ形状等に変形した状態となることがなく、ドア枠１の躯体への精度良い取り付けが可能となって、浴室ドアの施工後における水漏れ等の発生を確実に防止することができる。
【００２９】
また、施工現場に搬入された浴室ドアの第１の梱包材５１を開梱した際に、第２の梱包材５がドア枠１の突条３間に所定強度で嵌め込まれて保持されると共に、第２の梱包材５が第１の梱包材５１の段ボール等より硬い樹脂や木材、金属等で形成されているため、施工現場においてドア本体２が取り外されたドア枠１を持ち運んで躯体に取り付けるまでの間、第２の梱包材５をドア枠１に確実に保持させることができて、第２の梱包材５にドア枠１の変形確認機能は勿論のことを変形自体を防止する機能を持たせることができる。その結果、ドア枠１を躯体に一層精度良く取り付けることができると共に、施工現場におけるドア枠１の持ち運び作業等が簡単に行えて、取付作業自体を効率的に行うことも可能となる。
【００３０】
さらに、第２の梱包材５がドア枠１の矩形面４に対応した大きさの平板状板体５ａかもしくは板状部材５ｂ、５ｃで矩形面４の対角線形状に対応した略Ｘ字状に形成されているため、第２の梱包材５の外周端部をドア枠１の突条３内面に密に嵌め込むことができて、ドア本体２を取り外すことで矩形面４が開口して変形し易いドア枠１を、第２の梱包材５で所定形状に維持しつつ躯体に精度良く取り付けできると共に、板状の第２の梱包材５でドア本体２自体を一層確実に保護することができる。
【００３１】
また、第２の梱包材５が、ドア枠１の各枠１ａ〜１ｃに補強や止水性維持等のために設けられるリブ状の突条３間に嵌め込まれるため、各枠１ａ〜１ｃに設けられる突条３を有効利用して第２の梱包材５をドア枠１に取り付け保持できて、例えば専用の取付部材が不要になる等、第２の梱包材５による梱包構造が簡略化されると共に、一層安価な梱包構造を得ることが可能となる。
【００３２】
図４は、本発明に係わるドア用梱包材の他の実施形態を示す分解斜視図である。この実施形態の梱包材の特徴は、第２の梱包材５として長尺状板体５ｄを使用し、ドア枠１の上枠１ｂの外周端面と第１の梱包材５１としての上部梱包材５１ｂとの間に介装させるようにした点にある。すなわち、第２の梱包材５は、樹脂や木材、金属等により薄板の長尺状に形成され、その長さが例えばドア枠１の上枠１ｂの長さと同一に設定され、その幅が、図４の円内の実線で示すように、上枠１ｂの外周端面に設けられる長手方向の溝８に垂直状態で嵌め込まれる場合は、溝８の幅と同一に設定され、図４の円内の二点鎖線で示すように、上枠１ｂの外周端面に水平状態で載置される場合は、上枠１ｂの外周端面の幅と略同一に設定されている。
【００３３】
そして、この第２の梱包材５は、上部梱包材５１ｂの内側に介装されることで、第１の梱包材５１と同時に梱包されて浴室ドアの所定部位としてのドア枠１の上枠１ｂを保護すると共に、第１の梱包材５１を開梱した際には、第２の梱包材５を寸法確認用の治具して使用しつつ、ドア枠１が躯体に取り付けられる。すなわち、第２の梱包材５の長さが上枠１ｂの長さと同一に設定されていることから、ドア枠１を躯体に取り付ける際に、この第２の梱包材５を定規として使用し、ドア枠１の縦枠１ａ間の寸法を上下方向において確認・調整しつつ行う。
【００３４】
これにより、ドア枠１の矩形形状が第２の梱包材５により確認（検査）されて、変形している場合はその変形を修正しつつ躯体に取り付けできて、ドア枠１の躯体への精度良い取付状態が得られることになる。なお、この実施形態の場合、第２の梱包材５としての長尺状板体５ｄは、ドア枠１の上枠１ｂと上部梱包材５１ｂ間への介装に限らず、下枠１ｃと下部梱包材５１ｃ間に介装させることもできる。この実施形態においても、梱包時に浴室ドアの所定部位であるドア枠１を保護する第２の梱包材５を、ドア枠１の躯体への取付施工時に寸法確認用の治具としても使用できて、上記実施形態と略同様の作用効果が得られる他に、第２の梱包材５の構成を簡略化して安価に形成できるという作用効果が得られる。
【００３５】
なお、上記図１及び図３に示す実施形態においては、ドア枠１の一方の矩形面４に第２の梱包材５を嵌め込み梱包したが、他方の矩形面４にも第２の梱包材５を嵌め込み梱包しても良いし、図１及び図３に示す第２の梱包材５と図４に示す第２の梱包材５を共に使用するようにしても良い。また、図１及び図３に示す第２の梱包材５を取り外してからドア枠１を取り付け、その後梱包材５を利用して変形等を調整するようにしても良い。さらに、上記各実施形態におけるドア枠１自体の形状や第１の梱包材５１及び第２の梱包材５の形状も一例であって、各梱包材５１、５を浴室ドアやドア枠１の形状に応じて適宜に変更する等、本発明の各発明に係わる要旨を逸脱しない範囲において適宜に変更することができる。
【産業上の利用可能性】
【００３６】
本発明は、システムバスルーム等の浴室ドアの梱包材に限らず、例えば洗面室ユニットやトイレユニット、サウナユニット等の各種衛生設備ユニットのドア、あるいはその他のアルミサッシドア等の梱包にも適用できる。
【図面の簡単な説明】
【００３７】
【図１】本発明に係わるドア用梱包材を浴室ドアに適用した場合の一実施形態を示す梱包状態の分解斜視図
【図２】同図１のＡ−Ａ線に沿った断面図
【図３】同第２の梱包材の変形例を示す図１と同様の分解斜視図
【図４】本発明に係わるドア用梱包材の他の実施形態を示す分解斜視図
【図５】従来の浴室ドアの梱包状態を示す図
【図６】同そのドア枠の説明図
【図７】同ドア枠の要部を示す斜視図
【符号の説明】
【００３８】
１・・・ドア枠、１ａ・・・縦枠、１ｂ・・・上枠、１ｃ・・・下枠、２・・・ドア本体、３・・・突条、４・・・矩形面、５・・・第２の梱包材、５ａ・・・平板状板体、５ｂ、５ｃ・・・板状部材、５ｄ・・・長尺状板体、６・・・取付説明書、７・・・テープ、８・・・溝、５１・・・第１の梱包材、５１ａ・・・・左右梱包材、５１ｂ・・・上部梱包材、５１ｃ・・・下部梱包材、５１ｄ・・・コーナパット、５２・・・ビニールシート、５３・・・締結バンド。
【図１】
2005193930.tif 000003
【図２】
2005193930.tif 000004
【図３】
2005193930.tif 000005
【図４】
2005193930.tif 000006
【図５】
2005193930.tif 000007
【図６】
2005193930.tif 000008
【図７】
2005193930.tif 000009